(57)【要約】【課題】視野角特性を向上させることが可能な表示パネルおよび表示装置ならびに有機電界発光表示装置を提供する。【解決手段】本開示の一実施形態の表示装置は、複数の画素を有する表示パネルと、表示パネル上に設けられた配光調整シートと、配光調整シートに設けられ、曲面を含む第１領域と平坦面を含む第２領域とを有すると共に、画素の幅を１とした場合に０．３３以下の幅を有し、一画素毎に２以上配設されている突状部とを備える。【選択図】図１
2020073996.tif 000002
【特許請求の範囲】
【請求項１】
複数の画素を有する表示パネルと、
前記表示パネル上に設けられた配光調整シートと、
前記配光調整シートに設けられ、曲面を含む第１領域と平坦面を含む第２領域とを有すると共に、前記画素の幅を１とした場合に０．３３以下の幅を有し、一画素毎に２以上配設されている突状部と
を備えた表示装置。
【請求項２】
前記第２領域の両側の前記第１領域が互いに同じ幅の前記突状部を有する前記配光調整シートを備えた、請求項１に記載の表示装置。
【請求項３】
前記第２領域の両側の前記第１領域が互いに異なる幅の前記突状部を有する前記配光調整シートを備えた、請求項１に記載の表示装置。
【請求項４】
前記突状部は前記第１領域と前記第２領域との間に屈曲点を持たない、請求項１に記載の表示装置。
【請求項５】
前記突状部は一方向に延在している、請求項１乃至４のいずれか１つに記載の表示装置。
【請求項６】
前記第２領域の両側の前記第１領域は互いに同じ曲率を有する、請求項１乃至５のいずれか１つに記載の表示装置。
【請求項７】
前記配光調整シートとして第１の配光調整シートと第２の配光調整シートをさらに備え、
前記第１の配光調整シートと前記第２の配光調整シートとは、それぞれの前記突状部の延伸方向が互いに９０°またはそれ以下で交差するように積層されている、請求項１乃至６のいずれか１つに記載の表示装置。
【請求項８】
前記配光調整シートと前記表示パネルとの聞に樹脂層をさらに有し、
前記樹脂層は、前記配光調整シートを構成する樹脂材料よりも屈折率が小さな材料を含んでいる、請求項１乃至７のいずれか１つに記載の表示装置。
【請求項９】
前記表示パネルと前記樹脂層との間に粘着層をさらに有する、請求項８に記載の表示装置。
【請求項１０】
前記配光調整シートは、ポリエチレンテレフタラー卜（ＰＥＴ）、アクリル樹脂（ＰＭＭＡ）またはポリ力一ポネ一卜（ＰＣ）によって形成されている、請求項１乃至９のいずれか１つに記載の表示装置。
【請求項１１】
複数の光源と、光学シートと、反射板とをさらに備えた、請求項１乃至１０のいずれか１つに記載の表示装置。
【請求項１２】
前記表示パネルを支持する固定式の台座をさらに有する、請求項１乃至１１のいずれか１つに記載の表示装置。
【請求項１３】
前記表示パネルの画面の上下の向きを変更可能なチルト機構および前記表示パネルの画面の左右の向きを変更可能なスイーベル機構の少なくとも一方を備えたスタンドをさらに有する、請求項１乃至１１のいずれか１つに記載の表示装置。
【請求項１４】
曲面を含む第１領域と平坦面を含む第２領域とを有すると共に、画素の幅を１とした場合に０．３３以下の幅を有し、一画素毎に２以上配設されている突状部を有する配光調整シート
を備えた複数の画素を有する表示パネル。
【請求項１５】
複数の画素を有する表示パネルと、
前記表示パネル上に設けられた配光調整シートと、
前記配光調整シートに設けられ、曲面を含む第１領域と平坦面を含む第２領域とを有すると共に、前記画素の幅を１とした場合に０．３３以下の幅を有し、一画素毎に２以上配設されている突状部と
を備えた有機電界発光表示装置。
【発明の詳細な説明】
【技術分野】
【０００１】
本開示は、テレビジョン装置等に用いる表示パネルおよびこれを備えた表示装置ならびに有機電界発光表示装置に関する。
【背景技術】
【０００２】
液晶分子は、複屈折性を有し、光の通過方向によって屈折率が異なる屈折率異方性を有する。液晶表示装置は、液晶分子を光学的スイッチとして用い、電界の印加による液晶分子の分子配列（配向）の変化による屈折率の変化を利用することによって光の透過と遮蔽を電気的に操作して画像を表示する表示装置である。
【０００３】
液晶表示装置では、通過させる光として偏光を用いているが、一定の厚みを有する液晶層を通過する光のうち、斜め方向の光は液晶層の通過距離が大きくなり、液晶分子による屈折率の変化の影響を受けやすく、例えば、偏光の振動軸が大きく変化する。この偏光の振動軸の変化は、液晶分子の光スイッチ（遮蔽／透過）としての機能および表示特性（特に、コントラスト）を低下させ、特に、斜め方向視においてその影響は顕著であった。
【０００４】
液晶表示装置は、液晶分子による屈折率の異方性を緩和するために、表示パネルの内部構造を工夫した様々な液晶モードが開発されているが、その効果は十分とは言えなかった。例えばＭＶＡ（multi-domain vertical alignment）モードでは、一画素単位に液晶分
子の配向方向の異なる複数の領域を形成（配向分割）し、配向方向を平均的に中和して屈折率の異方性を緩和しているが、斜め方向の視野角特性を改善する効果は低かった。ＩＰＳ（in-plane switching）モードでは、液晶分子を基板に対して常に平面内に回転させることにより、視野角による光学特性の変化を少なくしているが、ある方向ではその効果は著しく低かった。また、近年、表示装置の大型化および高精細化によって画素数が増加し、内部構造の複雑化はパターニング等のコストを増加させる原因となっていた。
【０００５】
そこで、表示パネルの外部で視野角特性を改善する方法が開発されている。例えば、特許文献１では、液晶パネルの前面に、円柱状のレンズあるいは角柱状のプリズムレンズが一方向に配設したレンズシートを設けた液晶表示装置が開示されている。
【先行技術文献】
【特許文献】
【０００６】
【特許文献１】特開２００１−４２３６５号公報
【発明の概要】
【発明が解決しようとする課題】
【０００７】
しかしながら、上記のような構成を有する液晶表示装置では、屈折率の異方性はある程度緩和されるものの、視野角特性を十分に改善することはできなかった。
【０００８】
従って、視野角特性を向上させることが可能な表示パネルおよび表示装置ならびに有機電界発光表示装置を提供することが望ましい。
【０００９】
本技術の一実施形態の表示パネルは、曲面を含む第１領域と平坦面を含む第２領域とを有すると共に、画素の幅を１とした場合に０．３３以下の幅を有し、一画素毎に２以上配設されている突状部を有する配光調整シートを備えた複数の画素を有するものである。
【００１０】
本技術の一実施形態の表示装置は、複数の画素を有する表示パネルと、表示パネル上に設けられた配光調整シートと、配光調整シートに設けられ、曲面を含む第１領域と平坦面を含む第２領域とを有すると共に、画素の幅を１とした場合に０．３３以下の幅を有し、一画素毎に２以上配設されている突状部とを備えたものである。
【００１１】
本技術の一実施形態の有機電界発光表示装置は、複数の画素を有する表示パネルと、表示パネル上に設けられた配光調整シートと、配光調整シートに設けられ、曲面を含む第１領域と平坦面を含む第２領域とを有すると共に、画素の幅を１とした場合に０．３３以下の幅を有し、一画素毎に２以上配設されている突状部とを備えたものである。
【００１２】
本技術の一実施形態の表示パネルおよび一実施形態の表示装置ならびに一実施形態の有機電界発光表示装置では、表示パネル上に、表示パネル側に突出すると共に、曲面を含む第１領域と、平坦面を含む第２領域とを有する突状部が設けられた配光調整シートを配置することにより、表示パネルから前面に射出される光の配光方向を調整することが可能となる。
【発明の効果】
【００１３】
本技術の一実施形態の表示パネルおよび一実施形態の表示装置ならびに一実施形態の有機電界発光表示装置によれば、一方向（例えば、表示パネル側）に突出すると共に、曲面を含む第１領域と、平坦面を含む第２領域とを有する突状部が設けられた配光調整シートを、表示パネル上に配置するようにした。これにより、突状部側から入射する光（表示パネルから射出される光）の配光方向が調整される。よって、表示装置の視野角特性を向上させることが可能となる。なお、ここに記載された効果は必ずしも限定されるものではなく、本開示中に記載されたいずれの効果であってもよい。
【図面の簡単な説明】
【００１４】
【図１】本開示の一実施の形態に係る表示装置の構成の一部を表す斜視図である。
【図２】図１に示した表示装置の要部構成（配光調整シート）を説明する断面図である。
【図３Ａ】図１に示した配光調整シートの他の例を表す断面図である。
【図３Ｂ】図１に示した配光調整シートの他の例を表す断面図である。
【図４】実施例および比較例における視野角とコントラストとの関係を表す特性図である。
【図５】実施例および比較例における視野角と輝度との関係を表す特性図である。
【図６】本開示の変形例に係る表示装置の構成の一部を表す断面図である。
【図７】図１に示した表示装置の全体構成を表す分解斜視図である（適用例１）。
【図８】図７に示した表示装置の断面図である。
【図９Ａ】図１に示した表示装置の適用例２の表側から見た外観を表す斜視図である。
【図９Ｂ】適用例２の裏側から見た外観を表す斜視図である。
【図１０】適用例３の外観を表す斜視図である。
【図１１Ａ】本開示の他の変形例に係る配光調整シートの一例を表す断面図である。
【図１１Ｂ】本開示の他の変形例に係る配光調整シートの他の例を表す断面図である。
【発明を実施するための形態】
【００１５】
本開示の実施の形態について図面を参照して以下の順に詳細に説明する。
１．実施の形態（第２領域を挟んで隣接する第１領域が互いに同じ曲率を有する例）
１−１．基本構成
１−２．作用・効果
２．変形例（第２領域を挟んで隣接する第１領域が互いに異なる曲率を有する例）
３．適用例
【００１６】
＜１．実施の形態＞
（１−１．基本構成）
図１は、本開示の一実施の形態に係る表示装置（表示装置１）の構成の一部（表示パネル１０および配光調整シート２０）を表したものである。表示装置１は、表示パネル１０の前面（表示面側）に配光調整シート２０が配置されている。
【００１７】
配光調整シート２０は、光の配光方向を調整するものであり、図１に示したように表示パネル１０側に突出すると共に、一方向（ここではＺ軸方向）に延在する突状部Ｘを複数備えたものである。表示パネル１０から前面（ここではＹ軸方向）に射出された光は、突状部Ｘを透過して任意の方向に配光される。配光調整シート２０は、例えばポリエチレンテレフタラート（ＰＥＴ）、アクリル樹脂（ＰＭＭＡ）あるいはポリカーボネート（ＰＣ）等によって形成されている。
【００１８】
図２は、配光調整シート２０のＸ軸方向における断面構成を表したものである。突状部Ｘは、ある曲率を有する側面（第１領域２０Ａ）および平坦な底面（第２領域２０Ｂ）とから構成されている。突状部Ｘの表面（突状面Ｓ１）は、第１領域２０Ａおよび第２領域２０Ｂに形成された曲面および平坦面からなり、屈曲点を持たない、換言すると、不連続点のない、微分可能な連続した面を形成している。第１領域２０Ａは所定の曲率を有し、第２領域２０Ｂを構成する平坦面の両側に形成された２つの曲面（第１領域２０Ａ）を合わせると、楕円孤の中心角がπ（ｒａｄ）となるように設計されている。即ち、突状部Ｘは平坦面（第２領域２０Ｂ）の両側にそれぞれπ／２（ｒａｄ）となる曲面（第１領域２０Ａ）が形成されている。表示パネル１０から前面に射出された光は、第１領域２０Ａでは屈折され、第２領域２０Ｂではほぼ屈折されずに外部に透過される。
【００１９】
各突状部Ｘの幅（第１領域２０Ａの形成幅をａ、第２領域２０Ｂの形成幅をｂとした場合の２ａ＋ｂ）は、例えば、各色画素（サブ画素；例えば赤色画素（Ｒ），緑色画素（Ｇ），青色画素（Ｂ））を合わせて一単位とした画素の幅（１ピッチ）よりも小さいことが好ましい。即ち、一画素に対して１以上の突状部Ｘが配設されることが好ましく、好ましくは２以上、より好ましくは、画素を構成するサブ画素（Ｒ，Ｇ，Ｂ）ごとに突状部Ｘが配設される。具体的には、画素の幅を１とした場合、突状部Ｘの幅（２ａ＋ｂ）は１未満、好ましくは０．５以下、より好ましくは、０．３３以下である。
【００２０】
また、突状部Ｘを構成する第１領域２０Ａおよび第２領域２０ＢのＸ軸方向の形成領域（幅）は、所定の比率を有している。第１領域２０Ａの形成幅（ａ）と第２領域２０Ｂの形成幅（ｂ）との比率（ａ：ｂ（または２ａ：ｂ））を変えることによって、突状部Ｘを透過して配光される光の成分（第１領域２０Ａの曲面によって屈折される光（屈折光）および第２領域２０Ｂの平坦面によって屈折されない光（非屈折光））の比率を任意に調整することが可能となる。
【００２１】
なお、本実施の形態では、突状部Ｘの形状、特に第１領域２０Ａに形成される曲面の形状を、Ｘ軸方向が短軸、Ｙ軸方向が長軸となる楕円形状としたがこれに限らない。第１領域２０Ａの幅をａ、突状部Ｘの高さをｃとした場合、図１，２に示した曲面の形状はａ＜ｃとなっているが、例えば、図３Ａに示したようにａ＝ｃとなる、円形状でもよいし、図３Ｂに示したようにａ＞ｃとなる、図１，２に示した突状部Ｘとは長軸と短軸が逆になった楕円形状でもよい。
【００２２】
また、配光調整シート２０の突状部Ｘが設けられた面とは反対側の面Ｓ２は、例えば、無反射性の表面処理を施すことが好ましい。これにより、面Ｓ２による外光反射が抑えられ、明所におけるコントラストを向上させることが可能となる。
【００２３】
配光調整シート２０と表示パネル１０との間には、樹脂層２１が設けられている。樹脂層２１は、表示パネル１０と配光調整シート２０とを貼り合わせる接着層を兼ねている。樹脂層２１を構成する材料としては、配光調整シート２０を構成する樹脂材料よりも屈折率が小さな材料、具体的には、エポキシ系、アクリル系等のクラッドやレンズに用いられる屈折率制御樹脂等が挙げられる。本実施の形態のように、表示パネル１０と配光調整シート２０との間に低屈折率の樹脂材料を充填することによって突状面Ｓ１における外光の反射が抑えられ、明所におけるコントラストの低下が低減される。なお、配光調整シート２０の突状部Ｘの底面は、表示パネル１０に接していてもよいし、樹脂層２１を間に含んでいても構わない。
【００２４】
また、表示パネル１０と配光調整シート２０は、粘着層（図示せず）を用いて貼り合わせても構わない。この場合、粘着層は表示パネル１０と樹脂層２１との間に配置される。
【００２５】
以下に、表示パネル１０の構成を説明する。
【００２６】
表示パネル１０は、動画像または静止画像等の画像を表示するためのものであり、例えば、ＴＦＴ基板１１およびカラーフィルタ（ＣＦ）基板１３の２枚の基板の間に表示層（ここでは、液晶層１２）を備えたものである。ＴＦＴ基板１１およびＣＦ基板１３の液晶層１２とは反対側の面（前面（表示面）および背面）には、特定の方向の偏光を透過させる偏光板１４Ａ（前面側），１４Ｂ（背面側）がそれぞれ設けられている。
【００２７】
ＴＦＴ基板１１は、ガラス基板上に例えばマトリクス状に複数の画素電極（図示せず）を配置したものである。このＴＦＴ基板１１には、これら複数の画素電極をそれぞれ駆動するためのＴＦＴ（Thin Film Transistor）素子や、ＴＦＴ素子に接続されるゲート線およびソース線等（いずれも図示せず）が設けられている。画素電極は例えばＩＴＯ（Indium Tin Oxide；インジウム錫酸化物）等の透明性を有する導電材料により形成されており、ガラス基板上でサブ画素（図示せず）ごとに設けられている。
【００２８】
ＣＦ基板１３は、ガラス基板上に、例えば赤（Ｒ），緑（Ｇ），青（Ｂ）のフィルタがストライプ状に設けられたカラーフィルタ（図示せず）を有すると共に、このカラーフィルタ上の有効な表示領域（図示せず）のほぼ全面に亘って対向電極（図示せず）を有するものである。対向電極は、例えば上記画素電極と同様に、ＩＴＯ等の透明性を有する導電材料により構成されている。なお、ここでは図示していないが対向電極とＴＦＴ基板１１側の画素電極との間には、両基板間のギャップを保つためのスペーサを設けてもよい。
【００２９】
液晶層１２は、例えば垂直配向型の液晶パネルの場合には、負の誘電率異方性を有する液晶分子およびこの液晶分子を配向膜（図示せず）との界面近傍で保持するポリマー構造を含んでいる。液晶分子は、その長軸方向の誘電率が短軸方向よりも大きいという性質を有している。この性質により液晶分子は、駆動電圧がオフのときは、液晶分子の長軸が基板に対して垂直になるように配列し、駆動電圧がオンになると、液晶分子の長軸が基板に対して平行になるように傾いて配向する。これにより画像が液晶表示パネルに映し出される。なお、液晶層１２は、液晶層１２の周縁、ＴＦＴ基板１１とＣＦ基板１３との間に設けられた封止部（図示せず）によって封止されている。
【００３０】
表示パネル１０の周縁には、例えば封止樹脂層（図示せず）が設けられており、これにより互いに異なる大きさの部材（ＴＦＴ基板１１やＣＦ基板１３、偏光板１４Ａ，１４Ｂ）を組み合わされた表示パネル１０の端面の段差が平坦化される。
【００３１】
（１−２．作用・効果）
表示装置１では、光源から射出された光が後述する光学部材（光学部材１５，図７，８参照）を介して表示パネル１０に入射すると、その入射光は、偏光板１４Ｂを通過した後、ＴＦＴ基板１１およびＣＦ基板１３の透明電極の間に印加された映像電圧に基づいて、画素毎に変調されつつ液晶層１２を透過する。液晶層１２を透過した光は、カラーフィルタを透過することにより、カラーの表示光として偏光板１４Ａの外側（表示面側）へ取り出される。
【００３２】
前述したように、液晶分子のように、屈折率異方性を有する分子を表示素子として用いた表示装置（例えば、液晶表示装置）では、この屈折率異方性によって、ある方向、特に斜め方向における表示特性、具体的には視野角特性が低下し、画面の両端において色が異なる等の問題があった。
【００３３】
この問題を解決するために、例えばＭＶＡモード等のように、表示パネルの内部で屈折率の異方性を緩和して、視野角特性を改善する方法が開発されたが、いずれも十分な効果を得ることは難しく、またコストが増加するという問題があった。
【００３４】
そこで、より簡易な方法として、表示パネルの外部、具体的には、表示パネルの前面（表示面側）に光屈折シートを配置し、これによって、屈折率の異方性を緩和して、視野角特性を改善する試みがなされてきた。光屈折シートとしては、例えば、所謂レンズシートや、プリズムシートあるいは、レンチシートが挙げられる。しかしながら、レンズシートを用いた場合には、補正効果の効き目が過剰になり、周辺輝度の改善よりも正面輝度の著しく低下するという問題があった。また、凸型の形状部分全体が曲面形状であるため、表示パネルに張り合わせることが難しいという問題があった。また、プリズムシートでは、屈折界面が平面で構成されるため、光の屈折方向が特定の方向に限定され、視野角特性を十分に改善するものとは言えなかった。更に、レンチシートは、レンズシートと同様に、凸型の形状部分全体が曲面形状であるため、表示パネルに張り合わせることが困難であった。
【００３５】
これに対して本実施の形態の表示装置１では、表示パネル１０の前面に、表示パネル１０側に突出すると共に、曲面を含む第１領域と、平坦面を含む第２領域とを有する突状部Ｘが複数設けられた配光調整シート２０を配置するようにした。このように、表示パネルから射出される光の入射面（突状面Ｓ１）を、曲面（第１領域２０Ａ）と平坦面とから構成することにより、表示パネルから射出される光のうち、ある方向の光は屈折光として、ある方向の光は非屈折光として外部に取り出すことが可能となる。これにより、偏光板１４Ａを透過した被変調光の直進成分をさまざまな方向に広げることができると共に、液晶分子による屈折率異方性が改善される。
【００３６】
また、曲面からなる第１領域２０Ａおよび平坦面からなる第２領域２０Ｂの比率を適宜調整することで、各液晶モード（前述したＭＶＡモード、ＩＰＳモードのほか、例えば、ＴＮ（twist nematic）モード等）による視野角最適値の変化に対応することが可能とな
る。
【００３７】
更に、配光調整シート２０に設けられた突状部Ｘの底面を平坦面とするようにしたので、この底部を接合面となり、配光調整シート２０と表示パネル１０との貼り合わせを容易に行うことができる。
【００３８】
図４は、本実施の形態における配光調整シート２０を備えた表示装置１（実施例）および配光調整シート２０を設けていない表示装置（比較例）における視野角とコントラストとの関係を表したものである。図４からわかるように、配光調整シート２０を設けることにより、コントラストが大幅に改善され、視野角領域が広がることがわかる。図５は、図４と同様に、配光調整シート２０を備えた表示装置１（実施例）および配光調整シート２０を設けていない表示装置（比較例）における視野角と輝度との関係を表したものである。図５からわかるように、正面輝度は若干低下するものの、裾野部分の輝度が上昇し、視野角特性が改善されていることがわかる。
【００３９】
以上のように本実施の形態の表示装置１では、表示パネル１０の前面に、表示パネル１０側に突出すると共に、曲面を含む第１領域２０Ａと、平坦面を含む第２領域２０Ｂとを有する突状部Ｘが複数設けられた配光調整シート２０を配置するようにした。これにより、表示パネルから外部へ射出される光の配光方向が調整され、表示装置の視野角特性を向上させることが可能となる。
【００４０】
また、本実施の形態では、表示パネル１０と、配光調整シート２０との間に低屈折率樹脂からなる樹脂層を設け、表示パネル１０と配光調整シート２０との間隙を充填することにより、外光の突状部Ｘの突状面Ｓ１における散乱やフレネル反射が低減され、明所におけるコントラスト比を確保することが可能となる。
【００４１】
以下に、上記実施の形態に係る変形例および適用例について説明する。なお、上記実施の形態と同一の構成要素については同一符号を付してその説明は省略する。
【００４２】
＜２．変形例＞
図６は、本開示の一実施の形態の変形例に係る表示装置２の構成の一部（表示パネル１０および配光調整シート４０）を表したものである。この配光調整シート４０は、上記実施の形態と同様に、表示パネル１０側に突出すると共に、曲面を有する第１領域４０Ａと平坦面を有する第２領域４０Ｂとからなる突状部Ｙを複数備えたものである。本変形例では、突状部Ｙを構成する、第２領域４０Ｂの両側の第１領域４０Ａに形成された曲面が、互いに異なる曲率を有する点が、上記実施の形態とは異なる。
【００４３】
このように、第２領域４０Ｂの両側に曲率の異なる曲面が形成された第１領域４０Ａｒ，４０Ａｌを設けることで、前面に屈折される光量を左右で変えることが可能となる。特に、配光調整シート４０と共に、上記配光調整シート２０を、例えばＹ軸を中心に９０°回転させて表示パネル１０に前面に貼り合わせることにより、上下対称方向で視野角特性が大きく異なるＴＮモードの液晶表示装置の視野角特性を上下で改善することができる。
【００４４】
＜３．適用例＞
（適用例１）
上記実施の形態および変形例において説明した表示装置１，２は、例えばテレビジョン装置として好適に用いることができる。図７は、適用例１としての表示装置１（あるいは表示装置２）の全体構成を分解斜視したものであり、図８は、表示装置１の断面構成を表したものである。この表示装置１では、表示パネル１０以外の光学部材１５およびバックライトユニット１６が、前面部材３１および背面部材３２からなる筐体３０に収容されている。光学部材１５は、例えば光学シート，光源を含む導光板および反射板、あるいはライトボックス等である。表示パネル１０は、上述した表示パネル１０であり、その前面に配光調整シート２０（あるいは、配光調整シート４０）が配設されている。これら配光調整シート２０を備えた表示パネル１０，光学部材１５，バックライトユニット１６は、接着部材３３を介して前面部材３１および背面部材３２に接着されている。導光板の一端面には光源として、例えばＬＥＤが複数配置されており、この光源から射出された光が導光板を経て表示パネル１０に照射され、表示面側に表示光として取り出されるようになっている。
【００４５】
光学シートは、光源から発せられ、導光板を通じて表示パネル１０に照射される光に対して種々の光学機能を奏するためのシートである。光学シートとしては、例えば光源から導光板を介して表示パネル１０に入射する表示光を、入射光および入射光に直交する偏光成分に分解する機能、光波の位相差を補償して広視野角化や着色防止を図る機能あるいは表示光を拡散する機能等を有するシートが単層または積層されていてもよい。
【００４６】
導光板は、光源から入射された光を伝播させて表示パネル１０へと導くものであり、例えば矩形の平板形状を有している。導光板の材料としては、透明性の高い材料、例えばガラスが挙げられるが、光源からの光を伝播可能な材料であれば他の材料により構成されていてもよい。例えば、光散乱性の微粒子を分散させた光散乱材料や、光拡散材料により形成されたものでもよい。具体的には、アクリル樹脂，ポリメチルメタクリレート（ＰＭＭＡ），ポリカーボネート（ＰＣ）および環状ポリオレフィン（ＣＯＰ）等が挙げられる。導光板の形状やサイズ，屈折率，濃度および濃度分布等は、所望の特性が得られるように任意に調整すればよい。
【００４７】
光源は、例えば白色ＬＥＤ（Light Emitting Diode；発光ダイオード）の他、赤色，青色および緑色等を発するＬＥＤを用いてもよい。また、ＬＥＤのような点光源の他、蛍光灯等の線光源を用いてもよい。光源は、導光板の一端面（下面）に設けられてもよいし、例えば導光板の４辺に沿って配置しても構わない。
【００４８】
筐体３０は、例えば略直方体形状であり、対向する２つの面（前面（表示パネル１０を支持する支持部）および背面）を有すると共にこれら２つの面間の側面を有している。具体的には、上記光学部材１５やバックライトユニット１６等を収容する背面板（背面部材３２）と、背面部材との対向面に開口３１Ａを有する枠体である前面板（前面部材３１）とから構成されている。なお、前面部材３１および背面部材３２は、例えば互いにネジ（図示せず）によって締結されている。
【００４９】
前面部材３１は、上記のように表示パネル１０を接着して固定すると共に、背面部材３２内に収容されたバックライトユニット１６等を封じるものである。前面部材３１の材料としては、背面部材３２と同様に、例えば熱伝導率が高い金属、具体的にはＡｌが用いられる。この他、Ｆｅ等を用いてもよい。
【００５０】
背面部材３２は、上記のように配光調整シート２０を備えた表示パネル１０を除くバックライトユニット１６等を収容し、これらの背面および側面を覆うためのものである。背面部材３２の材料としては、例えば熱伝導率が高い金属、具体的にはアルミニウム（Ａｌ）が用いられる。このほか、鉄（Ｆｅ）またはポリカーボネート（ＰＣ）やＡＢＳ樹脂を添加したプラスチック等を用いてもよい。
【００５１】
接着部材３３は、筐体３０に表示パネル１０等を接着させるものである。接着部材３３としては、十分な接着力および弾性を有する接着剤、具体的には、アクリル樹脂，ウレタン樹脂，エポキシ樹脂，塩化ビニル樹脂，変成シリコーン樹脂等が挙げられる。
【００５２】
表示装置１は、図７に示したように、光学シート，導光板，反射板等を有する光学部材１５およびバックライトユニット１６等を筐体３０内に収容し、例えば光源の駆動基板およびスピーカ等が設けられたスタンド１７に設置することで完成する。このスタンド１７としては、例えば矩形の平板形状を有する固定式の台座（文鎮構造）が挙げられるが、これに限らず、表示パネル１０の上下および左右の画面の向きを変更可能なチルト・スイーベル機構を備えていてもよい。
【００５３】
また、上記実施の形態および変形例において説明した表示装置１，２は、上記テレビジョン装置以外に、下記電子機器としても好適に用いることができる。
【００５４】
（適用例２）
図９Ａは、上記実施の形態の表示装置１，２が適用されるタブレットの外観を表側から、図９Ｂは裏側から表したものである。このタブレットは、例えば、表示部６１０（表示装置１または表示装置２）および非表示部（筐体）６２０と、操作部６３０とを備えている。操作部６３０は、図９Ａに示したように非表示部６２０の前面に設けられていてもよいし、図９Ｂに示したように上面に設けられていてもよい。
【００５５】
（適用例３）
図１０は、上記実施の形態の表示装置１，２が適用されるノート型パーソナルコンピュータの外観を表したものである。このノート型パーソナルコンピュータは、例えば、本体４１０，文字等の入力操作のためのキーボード４２０および上記表示装置１，２としての表示部４３０を有している。
【００５６】
以上、実施の形態および変形例を挙げて本技術を説明したが、本技術は上記実施の形態等に限定されるものではなく、種々の変形が可能である。例えば、上記実施の形態等では、突状部Ｘ（または突状部Ｙ）の、曲面を有する第１領域２０Ａと平坦な第２領域２０Ｂとによって形成される突状面Ｓ１が、屈曲点を持たない連続した面となるように形成したが、これに限らない。上記実施の形態等では、第２領域２０Ｂを挟んで両側に形成される第１領域２０Ａの中心角θを、それぞれπ／２（ｒａｄ）（すなわち、９０°）としたが、例えば図１１Ａ，１１Ｂに示したように、円あるいは楕円曲面の一部を切り取り、これによって形成される面を第２領域５０Ｂとしてもよい。なお、この場合には、第１領域５０Ａの中心角（角度θ）は、θ＜π／２となり、屈折効果を発生する角度の制限を受けることとなる。このため、急峻な角度の光のみを選択的に屈折させたい場合には有効となる。また、このような突状部Ｚでは、第１領域５０Ａと第２領域５０Ｂとの境界に不連続点（屈曲点Ｆ）を有することとなり、異常屈折する稜線が生じる。このため、図１１Ｂに示したように、第１領域５０Ａと第２領域５０Ｂとの境界部分を、第１領域５０Ａの曲面と第２領域５０Ｂの平坦面とに内接する半径Ｒの内接円に沿った曲面を形成することが好ましい。
【００５７】
また、上記実施の形態等では、表示装置１，２として液晶表示装置を例示したが、プラズマ表示装置や有機電界発光表示装置に適用してもよい。
【００５８】
また、上記実施の形態等において説明した各部材は一例であり、全ての部材を備える必要はなく、また、他の部材を更に備えていてもよい。
【００５９】
なお、本明細書中に記載された効果はあくまで例示であって限定されるものではなく、また、他の効果があってもよい。
【００６０】
なお、本技術は以下のような構成を取ることも可能である。
（１）
複数の画素を有する表示パネルと、
前記表示パネル上に設けられた配光調整シートと、
前記配光調整シートに設けられ、曲面を含む第１領域と平坦面を含む第２領域とを有すると共に、前記画素の幅を１とした場合に０．３３以下の幅を有し、一画素毎に２以上配設されている突状部と
を備えた表示装置。
（２）
前記第２領域の両側の前記第１領域が互いに同じ幅の前記突状部を有する前記配光調整シートを備えた、前記（１）に記載の表示装置。
（３）
前記第２領域の両側の前記第１領域が互いに異なる幅の前記突状部を有する前記配光調整シートを備えた、前記（１）に記載の表示装置。
（４）
前記突状部は前記第１領域と前記第２領域との間に屈曲点を持たない、前記（１）に記載の表示装置。
（５）
前記突状部は一方向に延在している、前記（１）乃至（４）のいずれか１つに記載の表示装置。
（６）
前記第２領域の両側の前記第１領域は互いに同じ曲率を有する、前記（１）乃至（５）のいずれか１つに記載の表示装置。
（７）
前記配光調整シートとして第１の配光調整シートと第２の配光調整シートをさらに備え、
前記第１の配光調整シートと前記第２の配光調整シートとは、それぞれの前記突状部の延伸方向が互いに９０°またはそれ以下で交差するように積層されている、前記（１）乃至（６）のいずれか１つに記載の表示装置。
（８）
前記配光調整シートと前記表示パネルとの聞に樹脂層をさらに有し、
前記樹脂層は、前記配光調整シートを構成する樹脂材料よりも屈折率が小さな材料を含んでいる、前記（１）乃至（７）のいずれか１つに記載の表示装置。
（９）
前記表示パネルと前記樹脂層との間に粘着層をさらに有する、前記（８）に記載の表示装置。
（１０）
前記配光調整シートは、ポリエチレンテレフタラー卜（ＰＥＴ）、アクリル樹脂（ＰＭＭＡ）またはポリ力一ポネ一卜（ＰＣ）によって形成されている、前記（１）乃至（９）のいずれか１つに記載の表示装置。
（１１）
複数の光源と、光学シートと、反射板とをさらに備えた、前記（１）乃至（１０）のいずれか１つに記載の表示装置。
（１２）
前記表示パネルを支持する固定式の台座をさらに有する、前記（１）乃至（１１）のいずれか１つに記載の表示装置。
（１３）
前記表示パネルの画面の上下の向きを変更可能なチルト機構および前記表示パネルの画面の左右の向きを変更可能なスイーベル機構の少なくとも一方を備えたスタンドをさらに有する、前記（１）乃至（１１）のいずれか１つに記載の表示装置。
（１４）
曲面を含む第１領域と平坦面を含む第２領域とを有すると共に、画素の幅を１とした場合に０．３３以下の幅を有し、一画素毎に２以上配設されている突状部を有する配光調整シート
を備えた複数の画素を有する表示パネル。
（１５）
複数の画素を有する表示パネルと、
前記表示パネル上に設けられた配光調整シートと、
前記配光調整シートに設けられ、曲面を含む第１領域と平坦面を含む第２領域とを有すると共に、前記画素の幅を１とした場合に０．３３以下の幅を有し、一画素毎に２以上配設されている突状部と
を備えた有機電界発光表示装置。
【符号の説明】
【００６１】
１，２…表示装置、１０…表示パネル、１１…ＴＦＴ基板、１２…液晶層、１３…ＣＦ基板、１４Ａ，１４Ｂ…偏光板、１５…光学部材、１６…バックライトユニット、１７…スタンド、２０…配光調整シート、２１…樹脂層、３０…筐体、３１…前面部材、３２…背面部材、３３…接着部材。
【図１】
2020073996.tif 000003
【図２】
2020073996.tif 000004
【図３Ａ】
2020073996.tif 000005
【図３Ｂ】
2020073996.tif 000006
【図４】
2020073996.tif 000007
【図５】
2020073996.tif 000008
【図６】
2020073996.tif 000009
【図７】
2020073996.tif 000010
【図８】
2020073996.tif 000011
【図９Ａ】
2020073996.tif 000012
【図９Ｂ】
2020073996.tif 000013
【図１０】
2020073996.tif 000014
【図１１Ａ】
2020073996.tif 000015
【図１１Ｂ】
2020073996.tif 000016